(57)【要約】【課題】  鍔部の見かけの厚みが異なる鍔部付き容器に対応してロ−ルの取替えを必要としない鍔部付き容器の分離供給ガイドを提供すること。【解決手段】  ロール１の外周部に当該ロール１の回転により一端から他端方向へ鍔部付き容器３の鍔部３０を挿入状に案内して移動させるガイド溝１０を形成し、前記ロール１の前記一端の端面外周部には始端部から前記ガイド溝１０の入り口方向に向かって下り傾斜した緩傾斜部１１ａを有しかつ前記ガイド溝１０と連続する導入ガイド部１１を所定の角度範囲にわたって形成し、前記ロール１の前記一端の端面に、前記緩傾斜部１１ａの斜面との間で前記鍔部３０を導入する隙間状の導入口１１ｃを形成しかつ当該導入口１１ｃの隙間の大きさを規制する導入規制板２を取外し可能に、又は移動調整可能に設けたことを主要な特徴としている。【選択図】      図１
2005179036.tif 000002
【特許請求の範囲】
【請求項１】
ロール（１）の外周部には当該ロール（１）の回転により一端から他端方向へ鍔部付き容器（３）の鍔部（３０）を挿入状に案内して移動させるガイド溝（１０）が形成され、前記ロール（１）の前記一端の端面外周部には始端部から前記ガイド溝（１０）の入り口方向に向かって下り傾斜した緩傾斜部（１１ａ）を有しかつ前記ガイド溝（１０）と連続する導入ガイド部（１１）が所定の角度範囲にわたって形成され、前記ロール（１）の前記一端の端面には、前記緩傾斜部（１１ａ）の斜面との間で前記鍔部（３０）を導入する隙間状の導入口（１１ｃ）を形成しかつ当該導入口（１１ｃ）の隙間の大きさを規制する導入規制板（２）を、取外し可能に又は移動調整可能に設けた、鍔部付き容器の分離供給ガイド。
【請求項２】
前記導入規制板（２）は、前記緩傾斜部（１１ａ）の幅（ｗ）よりも大きな幅（Ｗ）を有していて全体として円弧状に形成され、当該導入規制板（２)の軸心方向寄り部分に形成された円弧状の長孔（２０）に通したねじ（２１）により前記ロール（１）の端面に取り付けられている、請求項１に記載の鍔部付き容器の分離供給ガイド。
【請求項３】
前記導入ガイド部（１１）は、前記緩傾斜部（１１ａ）と当該緩傾斜部（１１ａ）と連続し前記ロール（１）の軸心と直交状の水平部（１１ｂ）とから構成されている、請求項１又は２に記載の鍔部付き積重ね状容器の分離供給用ガイドロール。
【請求項４】
前記ガイド溝（１０）は螺旋状に形成されている、請求項１〜３のいずれかに記載の鍔部付き容器の分離供給ガイド。
【請求項５】
前記ガイド溝（１０）は、その入り口側の部分が所定の角度範囲にわたって螺旋の一部を呈する状態に形成され、他の部分は当該ロール（１）の軸心と直交する状態に形成されている、請求項１〜３のいずれかに記載の鍔部付き容器の分離供給ガイド。
【発明の詳細な説明】
【技術分野】
【０００１】
本発明は、液剤，飲料等を充填した瓶を包装するための包装用トレイその他のトレイ、及び鍔部付き食器等の鍔部付き容器を、積重ね状態で供給しつつ所定の供給部位で分離して供給するのに適する鍔部付き容器の分離供給ガイドに関するものである。
【背景技術】
【０００２】
各種鍔部付き容器は、それらが使用されあるいは洗浄や消毒等の所定の処理が行われるまでは多くの場合多数積重ねられた状態で梱包ないし保管されている。したがって、これらを使用しあるいは所定の処理を行う場合は、積重ね状態のものを個々に分離しつつ他の処理ライン上に供給する必要がある。
【０００３】
この種の分離供給装置は、後記特許文献１，２，３もほぼ同様であるが図９のように構成されており、分離供給ガイドは図８のように構成されている。
鍔部付き容器３は図示しない瓶（液剤が充填された瓶）を包装する平面視長方形のプラスチック製のトレイであり、下部の各コーナ部に鍔部３０が形成されており、四方を囲む状態の積重ね供給ガイド４に沿って多数積重ね状態で積重ね方向に沿って供給される。
供給部位ｂの下方には鍔部付き容器３の受取コンベア５が通過するように構成され、受取コンベア５には一定の間隔に容器３を一つずつ受け取る受取部が一定の間隔で取り付けられている。
供給部位ｂには、水平な状態で下降供給される鍔部付き容器３の四隅の鍔部３０を受けるように、容器３の分離供給ガイドを構成するロール１がそれぞれ設けられている。
各ロール１は軸孔１３に固定された軸６によって吊り下げ状に設置されており、常に先頭の鍔部付き容器３の鍔部３０が接触するように構成されている。各ロール１の外周面には、隣接のものが同期して逆方向に回転することにより、供給方向の上流側の一端（上端）から他端（下端）方向へ容器３の鍔部３０を挿入状に案内して移動させるガイド溝１０が形成されている。各ロール１のガイド溝１０は、その回転により鍔部３０を挿入状に案内して先頭の容器３を上端から下端方向へ移動させるように構成されているので、当該ロール１の回転方向の逆方向に向かってその外周を下り傾斜している。
この形態の各ロール１の上面外周部には、ガイド溝１０の入り口方向に向かって緩やかに下り傾斜した緩傾斜部１１ａを含む導入ガイド部１１が形成されている。
【０００４】
図９の装置では、各ロール１を隣接のものが逆方向に回転するように同期して回転させると同時に、各ロール１の回転を受取コンベア５の移送速度と同期させている。
各ロール１の回転により、先頭の鍔部付き容器３の鍔部３０が導入ガイド部１１を通じてガイド溝１０に案内され、鍔部付き容器３が一個ずつ分離した状態で受取コンベア５に供給される。
【０００５】
図８及び図９で示すように、従来の分離供給ガイドを構成する各ロール１は、ガイド溝１０の入り口の隙間ｈが鍔部付き容器３の鍔部３０の見かけの厚みｔよりもやや大きなものが用いられる。したがって、鍔部３０の見かけの厚みｔが異なる鍔部付き容器３を処理する場合には、ロール１を当該厚みｔに対応する入り口の隙間ｈを有する別なロール１と取替える必要があった。
また、鍔部付き容器３は積重ね状態で押されて供給部位ｂに供給されるため、供給部位ｂに供給される容器３相互の間隔は一定ではなく、前の容器３がその直後の容器３に強く押し込まれれた状態で重なって供給部位ｂに供給される場合があり、このような場合は重なった鍔部３０がガイド溝１０に入らず、分離供給できないことがあった。
【特許文献１】特開平８−２１７２４９号公報
【特許文献２】特開平５−８５４５４号公報
【特許文献３】実開昭５９−１２２８５８号公報
【発明の開示】
【発明が解決しようとする課題】
【０００６】
本発明の解決課題は、鍔部の見かけの厚みｔが異なる鍔部付き容器に対応してロ−ルの取替えを必要としない鍔部付き容器の分離供給ガイドを提供することにある。
【課題を解決するための手段】
【０００７】
本発明に係る鍔部付き容器の分離供給ガイドは、ロール１の外周部に当該ロール１の回転により一端から他端方向へ鍔部付き容器３の鍔部３０を挿入状に案内して移動させるガイド溝１０を形成し、前記ロール１の前記一端の端面外周部に始端部から前記ガイド溝１０の入り口方向に向かって下り傾斜した緩傾斜部１１ａを有しかつ前記ガイド溝１０と連続する導入ガイド部１１を所定の角度範囲にわたって形成し、前記ロール１の前記一端の端面には、前記緩傾斜部１１ａの斜面との間で前記鍔部３０を導入する隙間状の導入口１１ｃを形成しかつ当該導入口１１ｃの隙間の大きさを規制する導入規制板２を取外し可能に、又は移動調整可能に設けたことを主要な特徴としている。
【発明の効果】
【０００８】
本発明に係る鍔部付き容器の分離供給ガイドによれば、導入規制板２を取替えるか又は移動調整することにより、導入口１１ｃの隙間の大きさを調整することができるので、鍔部の見かけの厚みが異なる容器を処理する場合、ロールからなるガイドを取替える必要がない。
また、前の容器が後続の容器に強く押し込まれた状態で二枚重ねになっているような場合でも、導入規制板２によってこれらを円滑に分離することができる。
【発明を実施するための最良の形態】
【０００９】
第１実施形態
図１は本発明に係る鍔部付き容器の分離供給ガイドの第１実施形態を示す分解斜視図、図２は図１の分離供給ガイドの１８０°展開した状態の展開正面図、図４は前記実施形態の分離供給ガイドを使用した鍔部付き容器の分離供給装置の概略斜視図である。
【００１０】
１は金属製又は硬質の合成樹脂製のロールであって、上端部のボス状部１４を含む全長にわたるように軸孔１３が形成され、分離供給ガイドａの主体を構成している。ロール１の外周部には、当該ロール１の回転（図示の形態では時計方向の回転）により一端から他端方向へ鍔部付き容器３の鍔部３０を挿入状に案内して移動させるガイド溝１０が形成されている。この実施形態において、ガイド溝１０は全体として螺旋状を呈している。
ロール１の上面外周部には始端部に前記ガイド溝１０の入り口方向に向かって下り傾斜した緩傾斜部１１ａを有し、かつ前記ガイド溝１０と連続する導入ガイド部１１が所定の角度範囲にわたって形成されている。
前記ロール１の上端面には、その一端部と前記緩傾斜部１１ａの斜面とで前記鍔部３０を導入する隙間状の導入口１１ｃ（図２）を形成しかつ当該導入口１１ｃの隙間の大きさを規制する導入規制板２が取り付けられている。
この実施形態では、導入ガイド部１１は前記緩傾斜部１１ａとそれに連続する軸心と直交状の水平部１１ｂとから形成し、鍔部付き容器３の鍔部３０が導入口１１ｃを経てガイド溝１０に達する際に、前記水平部１１ｂにより鍔部３０の動きの安定を図っている。
【００１１】
この実施形態では、前記導入規制板２は前記緩傾斜部１１ａの幅ｗよりも大きな幅Ｗを有し、全体としてロール１の上面のボス状部１４を除くほぼ半分のサイズと適合するような円弧状に形成され、当該導入規制板２の軸心方向寄り部分に円弧状の長孔２０，２０がそれぞれ形成されている。他方、ロール１の上面にはねじ孔１２，１２を形成し、各長孔２０に通した各ねじ２１を前記各ねじ孔１２へねじ込んで導入規制板２をロールへ止めることにより、緩傾斜部１１ａの斜面と導入規制板２の先端部とが形成する隙間状の導入口１１ｃの大きさを、鍔部付き容器３の鍔部３０の見かけの厚みｔに合わせて調整できるように構成している。
導入規制板２は、鍔部付き容器３の鍔部３０との摩擦が激しいので、ステンレスの耐磨耗性を有する材質が選ばれ、その厚みは容器３の重さにもよるが、容器が前述のようなトレイである場合には、接近している隣接の鍔部３０相互の間に入って強制的に分離させるような場合を考慮すると０．５〜１ｍｍ程度であるのが好ましい。
【００１２】
前記実施形態の鍔部付き容器３の分離供給ガイドａは、図４で示すように分離供給装置に対して従来の分離供給ガイドとほぼ同様に取り付けられる。
すなわち、各ロール１は積重ね状態の鍔部付き容器３が積重ね方向に沿って供給される供給部位ｂにおいて、先頭の鍔部付き容器３の各コーナの鍔部３０を支持する状態に配置され、各ロール１は同図の矢印で示すように隣接のものが互いに反対方向へ同期して回転するように構成される。
各ロール１のガイド溝１０は、当該ロール１の回転方向の逆方向へ先下がり傾斜するように構成され、したがって、隣合うロール１はそれらのガイド溝１０が逆方向へ先下がり傾斜している。
積重ね供給ガイド４及び受取コンベア５は図９に示す装置とほぼ同じ構成である。
【００１３】
前記実施形態の鍔部付き容器３の分離供給ガイドは、ガイド溝１０の入り口の隙間すなわちガイド溝１０の幅を大きくしておき、導入口１１ｃの隙間を容器３の鍔部３０の見かけの厚みｔに合わせて調整することにより、鍔部３０の見かけの厚みｔの異なる容器３を処理する場合でもロール１を取替える必要がない。
また、隣接の容器３，３が深く堅く嵌り合い、両者の鍔部３０，３０が近接している場合でも、ロール１の回転に伴って導入規制板２が鍔部３０，３０相互の間に入り込んで両者を円滑に分離する。
【００１４】
第２実施形態
図３は鍔部付き容器の分離供給ガイドの第２実施形態を示す展開正面図（１８０°展開状態）で、ロール１の外周面には、入り口部分に外周のほぼ半周にわたって形成された螺旋部１０ａと、当該螺旋部１０ａと連続し軸心と直交状の水平部１１ｂとからなるガイド溝１０が形成されている。
この構成においても、鍔部付き容器３の鍔部３０はロール１の回転によりガイド溝１０に挿入状にガイドされて上端から下端方向へ移動する。
この実施形態の分離供給ガイドａの他の構成や作用効果は、第１実施形態のものとほぼ同様であるのでそれらの説明者は省略する。
【００１５】
第３実施形態
図５は導入規制板２の他の形態を示しており、円弧状に形成された導入規制板２には、円弧状の長孔２０に代えて円弧軌跡上に多数の独立した軸孔２２を形成し、これらの軸孔２２を選択してねじ２１により導入規制板２をロール１へ止めることにより、図２の導入口１１ｃの隙間の大きさを調整するように構成されている。
【００１６】
第４実施形態
図６は導入規制板２のさらに他の形態を示しており、ねじ２１でロール１の上面に止められている（ｃ）図の導入規制板２を、（ｃ）図の導入規制板２よりも左右方向サイズが大きい（ｄ）図の導入規制板２と交換することにより、導入規制板２の端部と緩傾斜部１１ａの斜面とが形成する導入口１１ｃの隙間を変更するように構成したものである。
【００１７】
その他の実施形態
第１実施形態において、ロール１の上面のねじ孔１２，１２の部分に図示しない埋め込みボルトを設置し、この埋め込みボルトにナットを締めて導入規制板２をロール１へ止めるように構成することができる。
前記各実施形態において、導入規制板２の外形及び内形はロール１と適合している必要はないが、例えば図７のように上端部に鍔部３０を有する積重ね状の鍔部付き容器３を下方に供給しながら、それらを分離供給する場合には、導入規制板２の外形はロール１の外形と大差がない方が好ましい。
【図面の簡単な説明】
【００１８】
【図１】本発明に係る鍔部付き容器の分離供給ガイドの第１実施形態を示す分解斜視図である。
【図２】図１の分離供給ガイドを１８０°展開した状態の展開正面図である。
【図３】鍔部付き容器の分離供給ガイドの第２実施形態を１８０°展開して示す正面図である。
【図４】第１実施形態の分離供給ガイドを使用した鍔部付き容器の分離供給装置の概略斜視図である。
【図５】導入規制板の他の形態を示す平面図である。
【図６】導入規制板のさらに他の形態を示しており、（ｃ）図は導入規制板をロールに取り付けた平面図、（ｄ）図は交換用の導入規制板を示す平面図である。
【図７】鍔部付き容器の他の形態を示す部分断面図である。
【図８】従来の鍔部付き容器の分離供給ガイドの正面図である。
【図９】従来の鍔部付き容器の分離供給装置の概略斜視図である。
【符号の説明】
【００１９】
ａ  鍔部付き容器の分離供給ガイド
ｂ  供給部位
１  ロール
１０  ガイド溝
１０ａ  螺旋部
１０ｂ  水平部
１１ａ  緩傾斜部
１１ｂ  水平部
１１ｃ  導入口
１１  導入ガイド部
１２  ねじ孔
１３  軸孔
１４  ボス状部
２  導入規制板
２０  長孔
２１  ねじ
３  鍔部付き容器
３０  鍔部
４  積重ね供給ガイド
５  受取コンベア
【図１】
2005179036.tif 000003
【図２】
2005179036.tif 000004
【図３】
2005179036.tif 000005
【図４】
2005179036.tif 000006
【図５】
2005179036.tif 000007
【図６】
2005179036.tif 000008
【図７】
2005179036.tif 000009
【図８】
2005179036.tif 000010
【図９】
2005179036.tif 000011